(57)【要約】本発明は、背面照明されるキーパッドを有する電子装置用のリモート・コントロールに係る。該電子装置用のリモート・コントロールは、回路基板、キーパッド、及び光導体を有する。回路基板は少なくとも１つの表面実装された発光ダイオード（ＬＥＤ）を有する。キーパッドは、回路基板の上面に近接して直接位置付けられた基部を有する。基部は、回路基板から離れて延びる複数のボタンと、少なくとも１つの表面実装されたＬＥＤに対応する少なくとも１つのスロットとを有する。光導体は、キーパッドのボタンに対応する開口を有する。光導体は、キーパッド上に位置付けられ、ボタンがそこの開口を介して延びるため光がボタンへと光導体を介して分散されるようにする。筐体は、ボタンに対応する複数の開口を有する上カバーを有する。仕切りは、光導体とキーパッドの基部に接触するよう上カバーの内側面から延びる。仕切りは、それらの間でボタンを受けるよう配置される。
2007520853.tif 000002
【特許請求の範囲】
【請求項１】
背面照明を有する電子装置用リモート・コントロールであって、
複数の開口を有する上カバーと下カバーとを有する筐体と、
発光ダイオードを有する回路基板と、
前記上カバーの前記開口を介して延びる複数のボタンを有する基部を有するキーパッドと、
前記筐体の前記上カバーと前記キーパッドとの間のキーパッドの上面上に位置付けられた光導体と、
を有し、
前記光導体は、光が前記光導体を介して前記ボタンへ分散されるようにする、
リモート・コントロール。
【請求項２】
前記キーパッドの前記基部は、前記発光ダイオードに対応する少なくとも１つのスロットを有する、
請求項１記載のリモート・コントロール。
【請求項３】
前記発光ダイオードは、前記回路基板に表面実装される、
請求項１記載のリモート・コントロール。
【請求項４】
前記光導体は、前記ボタンを受けるよう、前記キーパッドの前記ボタンに対応する開口を有する、
請求項１記載のリモート・コントロール。
【請求項５】
前記上カバーは、
前記上カバーの内側面から前記キーパッドの前記基部に向かって延び、それらの間でボタンを受けるよう配置された仕切りを有する、
請求項１記載のリモート・コントロール。
【請求項６】
前記仕切りは、前記光導体と接触する、
請求項５記載のリモート・コントロール。
【請求項７】
前記仕切りは、前記光導体における切欠きを介して前記キーパッドの前記基部と接触する、
請求項６記載のリモート・コントロール。
【請求項８】
前記仕切りは、前記キーパッドの前記基部と接触する、
請求項５記載のリモート・コントロール。
【請求項９】
前記光導体は、前記少なくとも１つの表面実装された発光ダイオードに対応する少なくとも１つの分散スロットを有する、
請求項１記載のリモート・コントロール。
【請求項１０】
前記ボタンは、前記回路基板上で導電接点に対応する接点を有し、前記ボタンが前記回路基板に向かって押される際に、前記接点が電気的接続をなすよう前記導電接点に接触するようにする、
請求項１記載のリモート・コントロール。
【請求項１１】
前記光導体は、前記キーパッドと同一の寸法である、
請求項１記載のリモート・コントロール。
【請求項１２】
背面照明を有する電子装置用リモート・コントロールであって、
筐体と、
少なくとも１つの表面実装された発光ダイオードを有する回路基板と、
前記回路基板の上面上に位置付けられた基部を有するキーパッドと、
前記キーパッドの前記ボタンに対応する開口を有する光導体と、
を有し、
前記基部は、回路基板から離れて延びる複数のボタンと、前記少なくとも１つの表面実装された発光ダイオードに対応する少なくとも１つのスロットとを有し、
前記光導体は、光が前記光導体を介して前記ボタンへ分散されるよう、前記キーパッド上に位置付けられ、ボタンはそこの開口を介して延びる、
請求項１２記載のリモート・コントロール。
【請求項１３】
前記筐体は、上カバーを有し、前記上カバーは、前記ボタンに対応する複数の開口と、前記キーパッドの前記基部に向かって前記上カバーの内側面から延び、その間でボタンを受けるよう配置された仕切りとを有する、
請求項１２記載のリモート・コントロール。
【請求項１４】
前記仕切りは、前記光導体と接触する、
請求項１３記載のリモート・コントロール。
【請求項１５】
前記仕切りは、前記光導体における切欠きを介して前記キーパッドの前記基部と接触する、
請求項１４記載のリモート・コントロール。
【請求項１６】
前記仕切りは、前記キーパッドの前記基部と接触する、
請求項１３記載のリモート・コントロール。
【請求項１７】
前記発光ダイオードは、前記回路基板の長手方向軸に沿って配置される、
請求項１２記載のリモート・コントロール。
【請求項１８】
前記光導体は、前記キーパッドと同一の寸法である、
請求項１記載のリモート・コントロール。
【請求項１９】
前記ボタンは、前記回路基板上で導電接点に対応する接点を有し、前記ボタンが前記回路基板に向かって押される際に、前記接点は、電気的接続をなすよう前記導電接点に接触する、
請求項１２記載のリモート・コントロール。
【請求項２０】
前記光導体は、前記少なくとも１つの表面実装された発光ダイオードに対応する少なくとも１つの光分散スロットを有する、
請求項１２記載のリモート・コントロール。
【発明の詳細な説明】
【技術分野】
【０００１】
本発明は、電子装置用のリモート・コントロールのキーパッドを照射する照明装置に係る。より特には、本発明は、電子装置用のリモート・コントロールのキーパッドを背面照明する光導体に係る。
【背景技術】
【０００２】
背面照明によって照射されるキーパッドを有する電子装置用のリモート・コントロールは、典型的には、２つのカバーの筐体に収容されたキーパッド、回路基板、及び光導体、で構成される。キーパッドは、回路基板の上面に近接して位置付けられ、筐体の上カバーにおける開口を介して突出するボタンを有する。接点は、回路基板の上面上に配置された導電接点に近接して各ボタンの基部上に備えられる。キーパッドを点灯するよう、複数の発光ダイオード（ＬＥＤ）は、回路基板の上面上に配置される。ダイオードから放射された光を分散する光導体は、回路基板とキーパッドとの間に配置される。光導体は各ボタン上で接点に対応する複数の開口を有するため、ボタンが回路基板に向かって押される際、ボタンの基部上に備えられた接点は、開口を介して延び、電気接続をなすよう回路基板上で導電接点と接触する。
【０００３】
光導体が回路基板とキーパッドとの間に位置付けられるため、光導体の厚さは、リモート・コントロールの高さが光導体の厚さを補うよう十分大きいことを確実にするよう、設計の初期段階で考慮に入れられなければならない。光導体の追加は、リモート・コントロールの高さを増加させるため、光導体は、従来のリモート・コントロールを背面照明を有するリモート・コントロールに転換するよう使用され得ない。加えて、異なる工具が、背面照明を有する及び背面照明を有さないリモート・コントロールを製造するよう使用されなければならない。回路基板とキーパッドとの間の光導体の位置決めはまた、光導体が比較的平面であり、キーパッドと略同一のサイズであることを求め、従って、リモート・コントロールの寸法及び形状を決定付ける。光導体は比較的平面且つキーパッドと略同一の寸法でなければならないため、光を捕らえてキーパッドへ分布させるよう使用可能な余地は限られ、光の分布を変調させることができる性能が制限される。
【発明の開示】
【発明が解決しようとする課題】
【０００４】
本発明は、背面照明されたキーパッドを有する電子装置用のリモート・コントロールに係る。
【課題を解決するための手段】
【０００５】
電子装置用のリモート・コントロールは、筐体、回路基板、キーパッド、及び光導体を有する。筐体は、複数の開口を有するカバー、及び下カバーを有する。回路基板は発光ダイオードを有する。キーパッドは、上カバーの開口を介して延びる複数のボタンを有する基部を有する。光導体は、筐体の上カバーとキーパッドとの間のキーパッドの上面上に位置付けられ、光が光導体を介してボタンへ分散されるようにする。
【発明を実施するための最良の形態】
【０００６】
図１は、電子装置用のリモート・コントロール１を図示する。リモート・コントロール１は、２つのカバーの筐体を有し、該筐体は、上カバー２及び下カバー６、光導体３、キーパッド４、及び回路基板５から構成される。図１に図示する通り、回路基板５は、カーボン接点等である複数の導電接点１９を備えられ、電源供給１７に結合された複数の回路トレース（図示せず）によって接続された、上面１６を有する。複数の表面実装された発光ダイオード（ＬＥＤ）１４は、回路基板５の上面１６の長手方向軸に沿って配置される。図示された実施例中、ＬＥＤ１４は長手方向軸に沿って配置されるが、ＬＥＤは、所望される光分布を達成するよう多様に配置され得る。ＬＥＤ１４は、回路トレース（図示せず）に接続され、キーパッド４に圧力が加えられる際、光を発するよう電気的に構成される。
【０００７】
図１に図示される通り、キーパッド４は、基部１２を有し、基部１２は、そこから延びる複数のボタン９を備えられる。図４中に最もよく図示される通り、接点１８は、各ボタン９の底面上に備えられる。接点１８は回路基板５の導電接点１０に対応し、ボタン９が回路基板５に向かって押される際に、電気接続をなすよう接点１８を導電接点１９に接触させる。スロット１５を受ける複数のＬＥＤは、基部１２に沿い且つボタン９に近接して位置付けられる。スロット１５を受けるＬＥＤは、回路基板５の上面１６上に配置されたＬＥＤ１４の位置に対応する。キーパッド４は、半透明ゴム材料等の半透明又は柔軟な透過材料から形成される。
【０００８】
図３中に最もよく図示される通り、光導体３は、略半透明なプラスチック材料から作られ、ボタン９の高さより小さい厚さを有する。ボタン９に対応する複数の開口８は、光導体３の上面２６から光導体３の底面２２まで通って延び、ボタン９がそこに受けられ得るようにする。複数の細長い切欠き２４は、開口８に近接する。切欠き２４は、光導体３の上面２６から光導体３の底面２２まで通って延び、上カバー２上の突起２５がそこで受けられ得、以下に詳細が説明される。複数の光分散スロット３は、光導体３の底面２２に沿い且つ開口８及び切欠き２４に近接する。光分散スロット１３は、キーパッド４上のＬＥＤを受けるスロット１５に対応し、光の分散に役立つよう角をなして上げられた部分を有する。図示された実施例中、光導体３は、キーパッド４と同一の寸法であるが、光導体３は、所望の光分布を達成するよう多種の形状及び寸法のいずかで形成され得る。光導体３の光分散スロット１３は、また、所望の光分布を達成するよう形成及び配置され得る。
【０００９】
図１に図示される通り、上カバー２は、プラスチック材料で形成され、キーパッド４上でボタン９に対応する該カバーを介して延びる複数の開口２０を有する。開口２０は、ボタン９がそこに受けられ得るよう形成される。図２中に最もよく図示される通り、相隔てられた複数の仕切り１０は、開口２９に近接し、上カバー２の内側面２１上に配置される。仕切り１０は、キーパッド３に向かって上カバー６の内側面２１から延びる。仕切り１０は、適所にて光導体３を保持することを助けるよう、仕切り１０が光導体３の上面２６に接触する長さである。複数の仕切り１０は、光導体３の切欠き２４に対応する突起２５を有する。突起２５がキーパッド４の基部１２に接触するよう、突起２５は、切欠き２４において受けられる。突起２５は、製造された光導体３を有さないリモート・コントロールにおいて、適所でキーパッド４を保持する役割をなす。仕切り１０は、ボタン９が開口２０に受けられる際に仕切り１０がボタン９の側面に近接して延びるよう、配置される。
【００１０】
図１に図示される通り、下カバーは、プラスチック材料で形成され、回路基板５のトレース（図示せず）に電気的に接続された複数のバッテリ等の電源供給１７を受けるよう構成された区画１１を有する。下カバー６及び上カバー２は、互いに対して相互に連結するよう形成される。
【００１１】
これより、背面照明を備えられた光導体３を有する電子装置用のリモート・コントロール１の組立体が説明される。図１及び４中に図示される通り、回路基板５は、したカバー６において回路基板５を位置付けることによって電源供給１７に電気的に接続されるため、導電接点１９及びＬＥＤ１４は、下カバー６から離れて位置付けられる。キーパッド４は、回路基板５の上面１６に近接して位置付けられるため、接点１８は、導電接点１９に接続され、ＬＥｄ１４はＬＥＤを受けるスロット１５において受けられる。光導体３は、開口８を介してボタン９を挿入することによって、キーパッド４の上面１２に近接して位置付けられるため、光分散スリット１３はＬＥＤ１４に対応する。キーパッド４のボタン９は、続いて、ボタン９は開口２０から突出されるよう上カバー２の開口２０において受けられ、仕切り１０は、ボタン９の側面に近接して位置付けられる。突起２５がキーパッド４の基部１２と接触するよう、仕切り１０は、光導体３の上面２６に接触し、突起２５は切欠き２４で受けられる。上カバー２及び下カバー６は、完成された電子装置用のリモート・コントロール１を形成するよう連結される。作動中は、ＬＥＤ１４は、電源供給１７によって称さされ、ＬＥＤ１４からの光は、光分散スリット１３によって光導体３を介して分布される。従って、光はキーパッド４のボタン９を照射する。
【００１２】
これより、背面照明用に備えられた光導体３の無い電子装置用のリモート・コントロール１の組立体が説明される。図１及び図４に図示される通り、回路基板５は、下カバー６において回路基板５を位置付けることによって電源供給１７に電気的に接続され、導電接点１９は下カバー６から離れて位置付けられる。キーパッド４は、回路基板５の上面１６に近接して位置付けられるため、接点１８は導電接点１９に対応する。キーパッド４のボタン９は、上カバー２の開口２０において受けられ、ボタン９は開口２０を介して突出する。仕切り１０は、従って、ボタン９の側面に対して位置付けられ、突起２５はキーパッド４の基部１２と接触する。上カバー２及び下カバー６は、完成された電子装置用のリモート・コントロール１を形成するよう連結される。
【００１３】
ここで説明された電子装置用のリモート・コントロール１の光導体３は、上カバー２及びキーパッド３との間に位置付けられるため、光導体３は、背面照明を有さない従来のリモート・コントロールを背面照明を有するリモート・コントロールへと転換するよう、光導体３の厚さを補うようリモート・コントロールを再設計せずに使用され得る。加えて、リモート・コントロールは、異なる工具を必要とせずに背面照明を有して及び有さずに製造され得る。背面照明を有さないリモート・コントロールは、光導体３の欠落という唯一の違いを有する背面照明を有するリモート・コントロールと同様に製造され得るため、個別の工具は求められない。上カバー２とキーパッド３との間の光導体３の位置付けはまた、光導体３の寸法及び形状が光の分布を調節するよう容易に変更し得るようにする。
【００１４】
本発明を実施する複数の可能性が上述されてきた。多くの他の実施例は、本発明の範囲及び趣旨内で可能である。従って、前述された説明は、制限ではなく例示として認識されるべきこと、及び、本発明の範囲は、添付の請求項によって全ての同等のものとともに与えられることが意図される。
【図面の簡単な説明】
【００１５】
【図１】本発明に従った電子装置用のリモート・コントロールの分解図である。
【図２】上カバーが取り除かれた状態の電子装置用のリモート・コントロールの前面斜視図である。
【図３】光導体の下面の斜視図である。
【図４】図２中の線４−４に沿ってとられた電子装置用のリモート・コントロールの断面図である。
【図１】
2007520853.tif 000003
【図２】
2007520853.tif 000004
【図３】
2007520853.tif 000005
【図４】
2007520853.tif 000006
【国際調査報告】
2007520853.tif 000007
2007520853.tif 000008
2007520853.tif 000009